(57)【特許請求の範囲】
【請求項１】
階段吹き抜け（３８）と、給気シャフト（７４）と、該給気シャフト（７４）を前記階段吹き抜け（３８）に接続する給気口（７６）と、前記階段吹き抜け（３８）を煙のない状態で維持するための圧力システムとを含み、前記階段吹き抜け（３８）は少なくとも１個のパーティション（５８）によって複数の部分的な空間に垂直に分けられ、各パーティション（５８）は、前記階段吹き抜け（３８）の１つの部分的な空間から隣接の部分的な空間への通行を可能にする扉を含むことを特徴とする、高層ビル。
【請求項２】
前記部分的な空間は、１０ないし３０階分の階層に亘って広がることを特徴とする、請求項１に記載の高層ビル。
【請求項３】
前記パーティション（５８）は少なくとも１個の圧力フラップ（６４）を含むことを特徴とする、請求項１に記載の高層ビル。
【請求項４】
前記圧力フラップの１個が気圧フラップ（６４）であることを特徴とする、請求項３に記載の高層ビル。
【請求項５】
前記パーティション（５８）は、異なる流れの方向に配置される圧力フラップ（６４、６６）２個を含むことを特徴とする、請求項２に記載の高層ビル。
【請求項６】
前記扉が避難方向に開く扉であることを特徴とする、請求項１に記載の高層ビル。
【請求項７】
パーティション（５８）の前記扉（６２）は開いた状態で通常であり、火災警報の場合に、前記扉は閉止位置に動かされることを特徴とする、請求項１に記載の高層ビル。
【請求項８】
火災警報システム（８６）を有する高層ビルであって、該火災警報システム（８６）は制御装置（８０）を含み、該制御装置（８０）は、前記火災警報システム（８６）に接続され、前記制御装置（８０）は、配置される火元と同じ高さの階段吹き抜け（３８）の部分的な空間のみに空気が供給されるように給気口（７６）を通して気流を制御することを特徴とする、請求項１に記載の高層ビル。
【請求項９】
前記給気シャフト（７４）が少なくとも１つの給気口（７６）を介して個別の部分的な空間それぞれに接続され、配置される弁（７８）が前記給気口（７６）を介して気流を制御し、前記制御装置（８０）に接続されることを特徴とする、請求項１に記載の高層ビル。
【請求項１０】
前記火災警報システム（８６）は、複数の火災検出器（８８）を含み、火災が発生する階が捕捉できるように配置されることを特徴とする、請求項１に記載の高層ビル。
【請求項１１】
高層ビルが制御装置（８０）を含み、前記階段吹き抜け（３８）の部分的な空間に属する階層（１５−３４）についての情報がそこに蓄積されることを特徴とする、請求項１に記載の高層ビル。
【請求項１２】
前記部分的な空間は、１５ないし２０階分の階層に亘って広がることを特徴とする、請求項１に記載の高層ビル。
【請求項１３】
前記扉が避難方向に開き、開き扉又は回動扉であることを特徴とする、請求項１に記載の高層ビル。
【発明の詳細な説明】
【技術分野】
【０００１】
本発明は、階段吹き抜けと、給気シャフトと、該給気シャフトを前記階段吹き抜けに接続する給気口（ｉｎｌｅｔ  ｏｐｅｎｉｎｇｓ）と、前記階段吹き抜けを煙のない状態で維持するための圧力システムとを有する高層ビルに関し、前記階段吹き抜けは少なくとも１個のパーティションによって少なくとも２つの部分的な空間に垂直に分けられ、各パーティションは、前記階段吹き抜けの１つの部分的な空間から隣接の部分的な空間への通行を可能にする扉を含む。
【背景技術】
【０００２】
約１９７ｆｔ、すなわち約６０ｍまで、つまり約１６−２１階（第１５−２０フロア）の高層ビルでは、前記階段吹き抜けは、例えば、給気が前記階段吹き抜けの最も低いエリアで送気され、同時に、前記給気口を前記階段吹き抜けに通じる前記給気シャフトを介して送気される場合には、比較的均一な過大圧力によって煙のない状態で確実に維持される場合がある。この技術は、本発明が利用する従来技術である。
【０００３】  しかし、ビルが高層となるとき、前記階段吹き抜けの高さ全体に亘って、比較的均一な圧力カラムを確立することは実質的により困難になる。この理由は前記階段吹き抜けの幾何学的配置にある。階段及び手すりの屈曲だけでなく、前記階段吹き抜けの大部分も、気流抵抗を形成する。これは平均０．０４ｌｂ／ｆｔ２、つまり２Ｐａ（パスカル）の１階あたりの圧力損失をもたらす。
【発明の概要】
【発明が解決しようとする課題】
【０００４】
欧州規格ＥＮ  １２１０１、第６部、第０９／２００５号によれば、ビルの無
煙避難経路については以下のとおり規定される。
扉開放力が最大１００Ｎ（つまり２２．５ｌｂｆ）であること、
階数に応じる閉止扉を有する前記階段吹き抜けの過大圧力が、５０Ｐａ  ±  １０％（つまり１．０４ｌｂ／ｆｔ２）であること、及び、
消防署による消防活動の場合に、前記階段吹き抜けと共用ユニット（ｕｔｉｌｉｚａｔｉｏｎ  ｕｎｉｔ）との間の開放出入口扉の平均通気速度が２ｍ／ｓ以上（６．５６ｆｔ／ｓ以上）であること。
【０００５】
したがって、許容可能な圧力範囲は、０．９４ないし１．１５ｌｂ／ｆｔ２、すなわち４５ないし５５Ｐａであるため、１６−２１階のうちたった５階分だけが、上記の例で正確に加圧される。上記の階数全ては、０．９４ｌｂ／ｆｔ２、すなわち４５Ｐａよりも低い圧力となる。
【０００６】  従来技術によれば、この問題は、既に言及された前記給気口を提供することによって１０階建てについて対処される場合があり、例えば、前記給気口は３階毎に提供される。前記給気口を通して、空気は、階段吹き抜けにしばしば隣接する前記給気シャフトから前記階段吹き抜けに入る。したがって、安定的な均一の圧力が、前記ビルの高さ全体に亘って得られる場合がある。【０００７】
しかし、これは、特定の高さまでのビルにのみ適用される。ますます高くなっている、例えば３９３ｆｔ、すなわち１２０ｍを超える高層ビルについての試みを考慮すると、煙突効果のような物理学的効果は無視できない。特に、（例えば、夏及び冬の）内部温度と外部温度との温度の違いによって生じる前記煙突効果は、扉を開ける力に悪影響を及ぼし、非常時だけでなく、前記ビルの通常の運用においても既に悪影響を及ぼす。
【０００８】
以下の表は４３階建ての高層ビルについてのサンプル計算を示し、前記表は、前記階段吹き抜けと、前記共用ユニットとの間の圧力が、夏期及び冬期の通常の運用でどれほど調整されるかを示す。概して、１．０４ｌｂ／ｆｔ２、すなわち５０Ｐａよりもより高い圧力の場合に、不可能ではないにしても、通常の体重及び力の人にとって扉を開けることは困難である。最大２２．５ｌｂｆ、すなわち１００Ｎに制限される、ＥＮ  １２１０１−６に応じる上述の扉開放力は超過される。
【００１０】
【表１】
0005447529.tif 000002
【課題を解決するための手段】
【００１１】
１Ｐａは約０．０２１ｌｂ／ｆｔ２であり、１ｍは約３．２８ｆｔである。本発明がここに提供される。また、本発明の目的は、例えば、高さ全体が３９３ｆｔ、すなわち１２０ｍである比較的高い高層ビルについて、約１９７ｆｔ、すなわち６０ｍを超えるいずれの場合でも、そして、例えば、６．５６ｆｔ／ｓ以上、すなわち２ｍ／ｓ以上の規格に応じる流速が、前記火災によって影響される階の前記階段吹き抜けと前記共用ユニットとの間で確保され、前記煙突効果が通常の運用も前記ビルの火災の場合も考慮されてはならないとき、火災の場合に均一な圧力を維持し、前記扉開放力を規格値に制限することである。
【００１２】
本目的は、階段吹き抜けと、給気シャフトと、該給気シャフトを前記階段吹き抜けに接続する給気口と、前記階段吹き抜けを煙のない状態で維持するための圧力システムとを有する高層ビルによって達成され、前記階段吹き抜けは少なくとも１個のパーティションによって複数の部分的な空間に垂直に分けられ、各パーティションは、前記階段吹き抜けの１つの部分的な空間から隣接の部分的な空間への人の適切な通行を可能にする扉を含む。前記階段吹き抜けは、エレベーターシャフトの様なシャフトを形成する。
【００１３】
本発明によれば、前記階段吹き抜けは部分的な空間に垂直方向に分けられる。このように、区画は形成されている。個別の部分的な空間は、パーティションによってお互いからそれぞれに区切られる。分割は必ずしも厳格ではないが、漏えい率が非常に低い。漏えい率が低いとは、前記給気に関して低いことを意味し、前記漏えい率は特に５％未満であり、１％の給気、つまり、０．３３ｆｔ／ｓ、すなわち０．１ｍ／ｓ未満であることが好ましい。１秒あたり３５ｆｔ３、すなわち１ｍ3未満が、漏えいによって失われると想定される。
【００１４】
従来技術では、前記給気シャフトは連続的である。前記給気シャフトは、前記階段吹き抜けのようなシャフトを形成するが、断面はかなり小さく、少なくとも２０分の１である。前記給気口は存在する。従来技術を超える実質的な変更が前記階段吹き抜けに施される。また、前記給気シャフトへの空気の導入と、該給気シャフトから前記階段吹き抜けへの空気の導入とのための制御のタイプが変更される。
【００１５】
前記階段吹き抜けは、階段の外側、例えば個別の階段と平行に、及び、例えば踊り場又は曲がり角で分けられることが好ましい。前記共用ユニットに移行するための出入口扉が配置される場所でも行われる場合がある。しかし、それは階段の半分でずれる。
【００１６】  シャフト様の階段吹き抜けの空間は、それぞれ、１０ないし３０階毎に、特に１５ないし２０階毎に１つのパーティションによって分けられる。言い換えれば、３０ｍないし７０ｍの間の区画が形成される。前記パーティションは、圧力のパーティションと、気流のパーティションとの両方である。例えば、高層ビルが４９階建ての場合には、２つのパーティションによって３つの部分的な空間又は圧力エリアに便宜上分けられる。低圧力エリアは、１階（地上階）から１７階まで広がり、中間の圧力ゾーンは１８−３３階を占め、上部の圧力ゾーンは３３−４９階を含む。【００１７】
個別の部分的な空間、又は、圧力エリアに前記階段吹き抜けを分けることは、以下の利点がある。
１．火災の煙を検出するうえで、火災警報システムが過大圧力装置を起動する。後者は、供給される気流を制御する制御装置を有し、制御は、前記火災が見つけられた部分的な空間のみが、空気及び過大圧力を供給されるかかるやり方で行われる。したがって、それぞれの圧力セグメントで必要とされる気流のみが前記給気シャフトを介して供給されなければならないため、給気のための送風機数は実質的に同一である。十分な数の送風機が、問題の部分的な空間で確保されるべき確実な圧力を作り上げるために準備される。従来技術と同様に、手段は複数ある。
２．火災の場合に、煙が前記階段吹き抜けに進入することを防止するために、該階段吹き抜けと共用ユニットとの間に規格によって規定される所定の過大圧力が常にある。
３．さらに、前記階段吹き抜けは前記火災エリアを除いてそれらの部分的な空間の救助経路として利用可能であり、それらの部分的な空間には過大圧力が全くない。火災レベルの上に位置する階数で避難が必要な場合には、人々は階段の加圧されたエリアを通行することができ、この目的のために、パーティションの扉は、その都度開かれなければならない。
【００１８】
前記パーティションは、ある程度厳密に前記階段吹き抜けを分ける軽量布設壁であることが好ましい。その目的は、前記階段吹き抜けの空間を分けるか、あるいは区切ることである。前記パーティションは前記火災区画の「階段吹き抜け」に配置されるため、火災を調節する必要性が、建材、扉又は調節デバイスに関して全く生じない。パーティションのために用いられる材料は、可燃性材料ではなく、又は、十分な耐火性能（ｆｉｒｅ  ｒａｔｉｎｇ）を有することが好ましい。
【００１９】
パーティションの扉は、避難方向、すなわち上から下への経路に取り付けられる。自動扉閉止ユニットが、前記扉に取り付けられることが好ましい。したがって、前記扉の正常な閉止されることが確保される。また、前記パーティションの扉は、閉まる向きに適当なバイアスを有する回動扉として設計される。
【００２０】
特に補助動力なしで、前記火災によって影響される部分的な空間と、上下階の隣接の部分的な空間との間に、圧力の均等化を迅速に担保する、パーティション壁に気圧フラップが設けられることが好ましい。気圧フラップは機械的調節ユニットとして設計される場合がある。例えば、重い又はバネ仕掛けの構造タイプに依存して、それらは、必要とされる所定の圧力に適合される場合がある。気圧フラップ２個は１個のパーティション壁に挿入されることが好ましく、前記気圧フラップ２個は両方向に空気を流すことができる。前記気圧フラップは、前記扉の隣及び上に配置されることが好ましい。また、前記気圧フラップ２個は扉に形成される場合があり、前記扉、例えば、回動扉によって形成される場合がある。
【００２１】
サイズ及び圧力の違いに関して前記気圧フラップを設計することは防火構想に依存する。前記圧力の違いに特に関係のあるのは、前記階段吹き抜けと、共用ユニットとの間に必要とされる圧力の違いである。前記気圧フラップは従来技術に従って設計される場合がある。
【００２２】
例えば、火災が高層ビルの２５階で起こる場合に、火災は検出され、空気が、例えば１７階及び３３階までに制限される前記階段吹き抜けの対応する部分的な空間に給気シャフトから供給される。給気シャフトと、階段吹き抜けとの間の接続部にそれぞれ配置される、対応する弁が本目的のために特に開かれることが好ましい。問題の部分的な空間に配置されるそれらの弁のみが開かれる。例えば、前記階段吹き抜けの観察される部分的な空間と、共用ユニットとの間に１．０４ｌｂ／ｆｔ２、すなわち５０Ｐａの圧力の違いを達成するために、又は、前記火災によって影響される階に６．５６ｆｔ／ｓ以上、すなわち２ｍ／ｓ以上の気流を作り出すために、約６７０ｘ１０３ｆｔ３／時間、すなわち２０，０００ｍ３／ｈの空気量が必要とされる。例えば、計画外の漏えいに関して十分な安全域を取るために、約１ｘ１０６ｆｔ３／時間、すなわち３０，０００ｍ３／時間が、実際に前記階段吹き抜けの観察される部分的な空間に供給される。
【００２３】
前記圧力は、前記扉を閉止するために最大１．０４ｌｂ／ｆｔ２、すなわち５０Ｐａを超過する場合に、前記気圧フラップは、圧力軽減フラップとして作動し、２つの方向でそのように作動する。前記部分的な空間の上部のパーティションにおける上向きの前記気圧フラップ開口部が、その上に配置される加圧されていない部分的な空間に上部への流出をもたらす。前記部分的な空間の下部のパーティションにおける上向きの前記気圧フラップ開口部が、その下に配置される加圧されていない部分的な空間に上部への流出をもたらす。したがって、前記部分的な空間の最大の圧力の違いが、その高さ全てを超えて維持されることが常に確保される。
【００２４】
前記パーティションの利点は、火災の場合に明白なだけでなく、通常の開放条件でも以前から明白である。この場合に、静的な気圧が前記階段吹き抜けに提供される。概して、前記階段吹き抜けへの追加の給気は全くない。
【００２５】
煙突効果は、前々から明確な、又は、知られていない漏えいのある、連続的な階段吹き抜けを有する非常に高いビルで生じる。前記煙突効果は、内部と外部との温度の違いによってもたらされる。上記の表を参照するとおり、発生する圧力差はかなり大きい場合があり、そのため、扉に作用する力は、該扉が誰にでもいつでも開放可能となることを妨げる。前記パーティションは前記煙突効果を妨害するので、臨界閾値が達せられない。経験的に、有効な煙突効果は区画の高さの上、つまり、垂直方向に１９７ｆｔ、すなわち６０メーターの上で全く生じない。したがって、前記煙突効果は本発明によっても中和される。これは前記火災の状態に依存しない。前記煙突効果は正常の状態で妨害される。
【００２６】
火災の場合に、空気は送風機によって給気シャフトに既知のやり方で送気される。これはいずれの場所でも行うことができる。また、１階（地上階）で行うことができ、最上階で行うことができるが、例えば、中間の場所、例えばサービス階で行うことができない。
【００２７】
前記気圧は、高さが増大すると低下し、これは気圧式によって算出される場合がある。したがって、前記ビルの最上階の前記空気は、１階（地上階）と比較してより薄い。同一の回転速度で、送風機は、薄い空気で少ない空気量を送達するであろう。気圧効果は、コンピューターによって是正される。前記火災によって影響される階の高さが知られるため、前記送風機は、体積の減少を補うために気圧式に従って適切な回転速度で操作される場合がある。
【図面の簡単な説明】
【００２８】
【図１】垂直シャフトを有する階段吹き抜けの断面図。
【図２】パーティションが配置される階の高層ビルの平面図。
【図３】高層ビルの階段吹き抜けの全体の断面図。
【００２９】
図１は、図２のＩ−Ｉに従う切断線で高層ビルの階段吹き抜けの一部分を通る断面図を示す。図２は、図１のＩＩ−ＩＩの切断線に対応する階であって、パーティションが配置される階の高層ビルの平面図の一部分を図１の縮尺の約２倍で示す。図３は、個別の詳細なしで、上端及び下端を有することを除いては、図１のような断面図を示す。
【発明を実施するための形態】
【００３０】
本発明の別の利点及び特徴は、別の請求の範囲と、限定されないと理解されるであろうし、図面に関して以下に説明されるであろう、以下の本発明の代表的な実施態様とから明らかとなる。
【００３１】  高層ビルのうち、図１は垂直シャフトを有する階段吹き抜け３８を示す。前記階段吹き抜けは、１５−３４階に亘って広がる（２０階と３０階との間に省略線を有する）。前記階段吹き抜けの前記シャフトは、壁４０、４２、４４及び４６によって囲われる。前記階段吹き抜けは、階段４８を含む。前記階段４８は、例示として、階の中間の踊り場５０を有するＵ字階段としてそれぞれ形成される、個別の階の階段からなる。各階の階段は、前記階の中間の踊り場５０に導く下階の登り階段５４が接触する踊り場５２を含む。上階の登り階段５６は、その場所を次階の階段の踊り場の上の次の踊り場に延ばす。通常開いている吹き抜けは、２つの登り階段５４、５６の間に配置される。しかし、示される実施態様では、吹き抜けは、１６階と１７階との間と、３２階と３３階との間とのエリアで閉止される。
【００３２】
これは、パーティション５８によってそれぞれの場合で行われる。本パーティション５８はパーティション壁６０を含む。その形状に関して、細長い長方形と、この長方形の長辺に取り付けられる三角形とからなる。前記パーティション壁６０は、垂直方向に合わせられる。前記長方形に取り付けられていない前記三角形の辺は、下階の登り階段５４と、問題の上階の登り階段５６との吹き抜けに達する。記載される長方形は、上下に配置される、階の前記階の中間の踊り場５０に取り付ける。概して、ある程度厳密に分割が達成される。２つのかかるパーティション５８は、１７階と１８階とのパーティション、３２階と３３階との別のパーティションとして図１で示される。
【００３３】
扉６２はパーティション壁６０に作られる。便宜上、（図示されない）頭上の扉閉止器が扉に配置される。さらに、２個の気圧フラップ６４及び６６がパーティション壁６０に作られる。それらは、異なる方向で働く。前記圧力フラップ６４は底から上向きに開き、前記圧力フラップ６６は反対方向に動く。２個は同一の構造であることが好ましい。それらは従来技術に従って形成され、特定の圧力値、例えば、１．０４ｌｂ／ｆｔ２、すなわち５０Ｐａで自動的に開くことになっている。両方の通過向きを１個の圧力フラップで実現することが可能である。
【００３４】
前記踊り場５２から、気閘室７０が既知のやり方で階段吹き抜け扉６８を通して到達され、問題の階は出入り口扉７２を通してそこから到達される。示される代表的な実施態様では、前記階段吹き抜け扉６８と、前記パーティション５８の扉６２とは階段の半分でずれる。これは必須ではなく、別の配置も可能である。
【００３５】  既知のやり方で、高層ビルは給気シャフト７４を有する。前記階段吹き抜け３８と同様に、それは、問題のビルの高さ全て、少なくとも問題の区画に亘って広がる。例えば、３ないし８階毎の特定の間隔で、前記給気シャフト７４は、給気口すなわち通気管７６を介して、特に、サービス階の前記階段吹き抜け３８と接続される。制御可能な弁７８は、通気管７６全てに配置される。正常に、それは閉止される。１つ１つの弁７８は制御装置８０に接続される。
【００３６】
前記給気シャフト７４は既知のやり方で空気を供給する。これは、異なる場所に配置される場合がある多くの送風機を通してしばしば行われる。例として、必要な場合に、導管８４を介して前記給気シャフト７４に空気を供給する送風機８２が図１に図示される。前記送風機８２は前記制御装置８０によって制御される。
【００３７】
さらに、火災警報システム８６が提供され、該火災警報システム８６は火災を検出し、前記制御装置８０に火災警報を発令し、本目的のために、前記火災警報システム８６は後者に電気的に接続される。前記火災警報システム８６は各階に提供される複数の火災検出器８８を含み、いくつかのみが例として示される。それらはお互いに接続され、例えば、母線を通して前記火災警報システム８６に接続される。これらの火災検出器８８の１つが起動する場合に、前記火災警報システム８６は、火災が生じている場所と、影響される階との情報を提供される。それらは前記制御装置８０に転送される。これは、部分的な空間が影響されると直ちに決定し、任意に高さの要素を考慮して、必要とされる区域に送風機を動かし、影響される部分的な空間に導くそれらの弁７８、又は、任意にそれらの一部分のみを開く。したがって、規定の過大圧力が部分的な空間に達する。
【００３８】
空気は、前記通気管７６と、給気シャフトとに通じる給気装置を専ら介して、階段吹き抜け３８に到達する。前記階段吹き抜け３８の別の空気供給源は全くない。
【００３９】
最下部の部分的な空間と、最上部の部分的な空間との配置は、図３を参照して説明されるであろう。１階（地上階）、２階及び３階は、下部の部分的な空間について示され、９１階ないし９４階は最上部の部分的な空間について示される。図１から明らかであり、前記給気シャフト、前記通気管、弁及び前記給気シャフト７４への前記給気装置の配置を意味するものの詳細は、図面を簡略化するために図３に示されない。しかし、それらは提供される。
【００４０】
パーティション５８は、この場合、部屋９３に、通常用いられる場合がある最上階の上に配置される。既知のやり方で、このパーティション５８は、図１で説明されるように、そこに提供された扉６２を有するパーティション壁を含む。例えば、別の出入り口を通る以外に、前記階段吹き抜けを介することなしに階９４の上の空間に到達することができる場合に、かかる扉は除外される場合がある。また、底から上向きに開く気圧フラップ６４がパーティション壁６０に作られる。特に、逆方向の圧力フラップは提供されない。これは、空気が上から、つまり階９４の上から流入できないが、空気は最上部のパーティションを通して上に抜けることのみできることを意味する。
【００４１】
部屋１０１が最上部のパーティション５８の上に配置される。それは、ほぼ階の高さである。屋根１０２はこの部屋の上に配置される。換気フラップ１０３は、前記屋根１０２に配置される。それは従来技術に相当する。上方向の流出のみが、それを通してできる。
【００４２】
出入り口扉１１０が１階（地上階）に提供され、出口エリア１１１はそれを通じて到達される場合がある。後者は内部進入口扉１１２によって家屋の側面の方に閉止される。人は、前記階段吹き抜け３８に到達するために扉１１０、１１２の両方を通行しなければならない。出入り口エリア１１４は前記進入口扉１１２の後ろに配置される。そこから、前記階段吹き抜け３８の下部の部屋１３１は扉６２を通じて到達される。前記扉は、前記出入り口エリア１１４を前記下部の部屋１３１から分けるパーティション５８に配置される。上部から下部に向かってのみ流出できる圧力フラップ６６は、問題のパーティション壁６０に配置される。２階と３階との間か、３階と４階との間かにちょうど記載されたパーティション壁を配置することもできる。
【００４３】
特許請求の範囲及び／又は明細書の構成要件、特に、個別の構成要件及び下位の構成要件を組み合わせる権利が留保される。
【符号の説明】
【００４４】
１、２、３、４、１５、１６、１７、１８、１９、３１、３２、３３、３４、９１、９２、９３、９４    階
３８    階段吹き抜け
４０、４２、４４、４６    壁
４８    階段
５０、５２    踊り場
５４    下階の登り階段
５６    上階の登り階段
５８    パーティション
６０    パーティション壁
６２、１１０、１１２    扉
６４、６６    気圧フラップ
６８    階段吹き抜け扉
７０    気閘室
７２、１１０    出入り口扉
７４    給気シャフト
７６    給気口（通気管）
７８    弁
８０    制御装置
８２    送風機
８４    導管
８６    火災警報システム
８８    火災検出器
９３、１０１    部屋
１０２    屋根
１０３    換気フラップ
１１１    出口エリア
１１２    内部進入口扉
１１４    出入り口エリア
１３１    下部の部屋
【図１】
0005447529.tif 000003
【図２】
0005447529.tif 000004
【図３】
0005447529.tif 000005